(57)【要約】【課題】スライム化防止薬をドレンパンに外部から供給してドレン水のスライム化を防止することを簡易な構成で実現できる安価な空気調和室内機の保守装置を得ることを目的とする。【解決手段】ドレン水を受けるドレンパン９，１０、及び該ドレンパンに受けられた該ドレン水を上記筺体３外部に導く排水用配管１８を有する空気調和室内機に付設されてドレン水のスライム化を防止する空気調和室内機の保守装置４５において、筺体３外部に配設され、スライム化防止薬４７が貯蔵された薬液タンク４６と、薬液タンク４６からドレンパン９，１０にスライム化防止薬４７を供給するための給薬配管４８と、給薬配管４８内を開閉可能に配設された電磁弁５０と、投入間隔時間が経過するごとにスライム化防止薬４７がドレンパン９，１０に投入されるように電磁弁５０を開閉制御する投薬制御手段５２と、を備えている。【選択図】図１
2009250453.tif 000002
【特許請求の範囲】
【請求項１】
筺体内に配設され、空調運転により発生するドレン水を受けるドレンパン、及び該ドレンパンに受けられた該ドレン水を上記筺体外部に導く排水用配管を有する空気調和室内機に付設されて上記ドレン水のスライム化を防止する空気調和室内機の保守装置であって、
上記筺体外部に配設され、スライム化防止薬が貯蔵された防止薬貯蔵手段と、
上記防止薬貯蔵手段から上記ドレンパンに上記スライム化防止薬を供給するための給薬配管と、
上記給薬配管内を開閉可能に配設された開閉手段と、
投入間隔時間が経過するごとに上記スライム化防止薬が上記ドレンパンに投入されるように上記開閉手段を開閉制御する投薬制御手段と、
を備えることを特徴とする空気調和室内機の保守装置。
【請求項２】
上記開閉手段は電磁弁であることを特徴とする請求項１記載の空気調和室内機の保守装置。
【発明の詳細な説明】
【技術分野】
【０００１】
この発明は、ドレン水のスライム化を防止する空気調和室内機の保守装置に関する。
【背景技術】
【０００２】
従来の空気調和室内機の保守装置は、ドレンパン内の水の電気伝導度を検出する手段と、電気伝導度検出手段の出力に応答し、検出された電気伝導度をスライムの発生を防止することができる予め定める値でレベル弁別するレベル弁別手段と、レベル弁別手段の出力に応答し、電気伝導度が予め定める値未満であるとき、スライム化防止薬を予め定める量だけドレンパン内に供給する手段と、を備えている（例えば、特許文献１参照）。
これにより、ドレンパン内の水がスライム化することが防止され、ドレンパン内の水がスムーズに外部に排出されていた。
【０００３】
【特許文献１】特開２００２−２５７４００号公報
【発明の開示】
【発明が解決しようとする課題】
【０００４】
しかしながら、従来の空気調和室内機の保守装置（以下、従来の保守装置とする）の電気伝導度検出手段は特殊な機能を有するものであり高価である。
また、電気伝導度検出手段は、直接ドレンパン内の水の電気伝導度を検出するものであり、従来の保守装置は、従来の空気調和室内機内部に付設する必要がある。ここで、既設の空気調和室内機の内部に従来の保守装置を付設する場合、既設の空気調和室内機は、従来の保守装置が付設されることを考慮して設計されていないので、従来の保守装置の付設を簡単に行うことができない。つまり、従来の保守装置の既設の空気調和室内機への付設は、既設の空気調和室内機内の気流が従来の保守装置の付設により乱されることのないよう、言い換えれば、既設の空気調和室内機の性能が従来の保守装置の付設により悪化することのないよう、十分に検討してから行う必要がある。
【０００５】
従って、既設の空気調和室内機の内部に従来の保守装置を付設する場合のコストは、高価な電気伝導度検出手段の部品コストに加え、適当な場所に装置を配設するための検討コストが加わるので、非常に高いものとなる。
【０００６】
この発明は、上記の課題を解決するためになされたものであり、スライム化防止薬をドレンパンに外部から供給してドレン水のスライム化を防止することを簡易な構成で実現できる安価な空気調和室内機の保守装置を得ることを目的とする。
【課題を解決するための手段】
【０００７】
筺体内に配設され、空調運転により発生するドレン水を受けるドレンパン、及び該ドレンパンに受けられたドレン水を筺体外部に導く排水用配管を有する空気調和室内機に付設されてドレン水のスライム化を防止する空気調和室内機の保守装置であって、筺体外部に配設され、スライム化防止薬が貯蔵された防止薬貯蔵手段と、防止薬貯蔵手段からドレンパンにスライム化防止薬を供給するための給薬配管と、給薬配管内を開閉可能に配設された開閉手段と、投入間隔時間が経過するごとにスライム化防止薬がドレンパンに投入されるように開閉手段を開閉制御する投薬制御手段と、を備えている。
【発明の効果】
【０００８】
この発明によれば、保守装置が特殊な部品を用いることなく簡易な部材で構成され、かつ、スライム化防止薬をドレンパンに供給可能に保守装置を空気調和室内機の外部に付設しているので、保守装置の付設にかかるコストを、部品コスト、及び適当な場所に装置を配設するための検討コストの両面から削減できる。
【発明を実施するための最良の形態】
【０００９】
以下、この発明を実施するための最良の形態について、図面を参照して説明する。
図１はこの発明の一実施の形態に係る保守装置が付設された既設の空気調和室内機の斜視図、図２はこの発明の一実施の形態に係る保守装置の構成、及び既設の空気調和室内機の主要構成を説明するブロック図、図３はこの発明の一実施の形態に係る保守装置の動作フロー図である。
なお、図１では、説明の便宜上、既設の空気調和室内機の筺体の内部を透視して図示し、筺体の縁部を点線で表記するとともに冷媒配管の図示を省略している。
【００１０】
まず、既設の空気調和室内機１（以下、単に空気調和室内機１とする）について図１及び図２を参照しつつ説明する。
空気調和室内機１は、図１に示されるように、底壁４、両側壁５ａ，５ｂ、前面パネル６、背面パネル７、及び天井壁８により構成された筺体３内に室内の空調に必要な機器がまとめられたパッケージ型である。空気調和室内機１は、例えば、電算機室などの床２上に設置されて、メンテナンス時を除いて２４時間冷房運転を行っている。
【００１１】
そして、空気調和室内機１の空調運転により発生するドレン水を受ける第１ドレンパン９及び第２ドレンパン１０が、筺体３内に配設されている。
第１ドレンパン９は、筺体３の底壁４の内面全域を覆うように筺体３内に配設され、第２ドレンパン１０は、第１ドレンパン９の上方で第１ドレンパン９と相対するように筺体３の両側壁５ａ，５ｂの内面に支持されている。つまり、下部設置空間１１が、両側壁５ａ，５ｂ、前面パネル６、背面パネル７、第１ドレンパン９、及び第２ドレンパン１０に囲まれた領域に形成されている。また、上部設置空間１２が、両側壁５ａ，５ｂ、前面パネル６、背面パネル７、天井壁８、及び第２ドレンパン１０に囲まれた領域に形成されている。そして、筺体３は底壁４の外面の４隅を床２に配置された支持台１３上に固定されている。
以下、筺体３の両側壁５ａ，５ｂの離間方向を幅方向、前面パネル６と背面パネル７の離間方向を奥行方向として説明する。
【００１２】
第１ドレンパン９及び第２ドレンパン１０のそれぞれの上面は、幅方向に関して一端の高さが最も高く、他端に向かって高さが漸次低くなるように傾斜し、かつ、奥行き方向に関して両端から中央部に向かって高さが漸次低くなるように傾斜するように形成されている。また、第１ドレンパン９及び第２ドレンパン１０の周縁は上方に折り曲げられている。
【００１３】
そして、流水溝１４ａ，１４ｂのそれぞれが、第１ドレンパン９及び第２ドレンパン１０のそれぞれの奥行方向の中央部の位置に幅方向の一端から他端に亘るように形成されている。
また、下部排水口１７が、流水溝１４ａの他端に開口するように第１ドレンパン９に形成されている。そして、排水用配管１８の一端が下部排水口１７の下部開口に接続されるように第１ドレンパン９の下面に連結され、他端側は電算機室の外部に延在している。このとき、排水用配管１８は、一端から他端に向かって漸次高さが低くなっている。
【００１４】
また、上部排水口１９ａ，１９ｂが、流水溝１４ｂの両端の部位に開口するように第２ドレンパン１０に形成されている。
【００１５】
そして、第１連絡配管２０ａが、その一端が幅方向の一側の上部排水口１９ａの下部開口に接続されるように第２ドレンパン１０の下面に連結され、他端が流水溝１４ａの一端の上方間近に配置されるように一側の側壁５ａの内面に支持されている。
そして、第２連絡配管２０ｂが、その一端が幅方向の他側の上部排水口１９ｂの下部開口に接続されるように第２ドレンパン１０の下面に連結され、他端が下部排水口１７の上方間近に配置されるように他側の側壁５ｂの内面に支持されている。
【００１６】
また、図示しない吸込み口が筺体３の天井壁８に形成され、一対の中間部通風口２３ａ，２３ｂが第２ドレンパン１０に形成され、吹出口２４が第１ドレンパン９及び筺体３の底壁４を貫通するように形成されている。このとき、中間部通風口２３ａ，２３ｂは流水溝１４ｂより背面パネル７側の第２ドレンパン１０の部位に、幅方向に離間して形成されている。さらに、中間部通風口２３ａ，２３ｂと吹出口２４との間はダクト２５により連結されている。
【００１７】
そして、上部設置空間１２には、吸込み口に対応させて筺体３の天井壁８の内面に取り付けられたフィルタ２８、それぞれが中間部通風口２３ａ，２３ｂの上方に配置されるように第２ドレンパン１０に配設され、外周面に羽根を有する一対の送風機２９、各送風機２９に回転トルクを伝達可能に第２ドレンパン１０に配設された送風機用モータ３０、フィルタ２８と送風機２９との間に配設された熱交換器３１、及び第２ドレンパン１０上に配設された加湿器３２を備えている。
【００１８】
また、下部設置空間１１には、圧縮機３５、凝縮器３６、アキュムレータ３７、膨張弁３８（図１では図示せず）、及び空気調和室内機１の動作全般を制御する制御盤３９などが配設されている。
そして、冷媒配管４０が、図２に示されるように、熱交換器３１、アキュムレータ３７、圧縮機３５、凝縮器３６、及び膨張弁３８を経て、再び熱交換器３１に戻る循環路を形成するように空気調和室内機１の各構成機器間に接続されている。そして、冷媒が矢印に示されるように冷媒配管４０内を循環移動することが可能になっている。
【００１９】
また、制御盤３９はＣＰＵ（図示せず）、各種データを一時的に記憶可能であり、ＣＰＵの演算処理時にワーキングスペースに使用されるＲＡＭ（図示せず）、空気調和室内機１の動作を制御するためのプログラムが書き込まれたＲＯＭ（図示せず）などを有している。
制御盤３９は、圧縮機３５、送風機用モータ３０、及び加湿器３２などと接続されている。そして、制御盤３９は設定された電算機室内の温度に一致するように圧縮機３５の圧力を調整して冷媒の循環量を制御したり、吹出し気流の風力が設定された風力となるように送風機用モータ３０の回転トルクを制御したり、設定された電算機室内の湿度に一致するように加湿器３２のＯＮ／ＯＦＦを制御したりしている。
【００２０】
空気調和室内機１の冷房運転が開始されると、冷媒は低温低圧の気体の状態で圧縮機３５に吸入されて圧縮され、高温高圧となって凝縮器３６へ送られ、凝縮器３６で冷却されて液体化する。ここでは、凝縮器３６は水冷式のものが用いられている。
さらに、冷媒は、膨張弁３８に送られ、膨張弁３８で気化しやすいように減圧されて、熱交換器３１に送られる。液体化した冷媒は、熱交換器３１の内部を通過する冷媒配管４０の内部で温められて気化されて電算機室内の熱を奪い、アキュムレータ３７を介して再び圧縮機３５へと戻るように循環する。なお、アキュムレータ３７は何らかの原因で仮に圧縮機３５の吸い込み冷媒の蒸気に液体が混じった場合でも、液体を分離して蒸気だけを圧縮機３５に吸い込ませる役割を果たしている。
【００２１】
そして、送風機用モータ３０が、空気調和室内機１の冷房運転の開始とともに制御盤３９によって駆動されると、送風機用モータ３０の駆動に連動して送風機２９が回転する。
送風機２９の回転により、電算機室内の空気は吸込み口から筺体３内に吸い込まれ、フィルタ２８、熱交換器３１を通過し、さらにダクト２５内に導かれて吹出口２４から吹き出される。このとき、電算機室内で暖められた空気は、熱交換器３１を通過するときに熱を奪われて電算機室内に戻されるので、電算機室が効率よく冷房される。
【００２２】
次いで、ドレン水の排出について説明する。
上記のように構成された空気調和室内機１が空調運転（冷房運転）を行っているときに、空気が熱交換器３１や温度の低い冷媒配管４０の部位に冷やされたりすると、熱交換器３１や冷媒配管４０に結露が生じる。結露した水滴は、その量が多くなると第１ドレンパン９または第２ドレンパン１０にドレン水として滴り落ちる。
第２ドレンパン１０に受けられた（滴り落ちた）ドレン水は、重力により上部排水口１９ｂに直接流れ込むか、又は流水溝１４ｂに流れ込んだ後、流水溝１４ｂに案内されて上部排水口１９ｂに流れ込む。さらに、上部排水口１９ｂに流れ込んだドレン水は、第２連絡配管２０ｂ内を通って下部排水口１７に導かれる。
【００２３】
また、第１ドレンパン９に受けられた（滴り落ちた）ドレン水は、重力により下部排水口１７に直接流れ込むか、又は流水溝１４ａに流れ込んだ後、流水溝１４ａに案内されて下部排水口１７に流れ込む。
いずれにしろ、第１ドレンパン９及び第２ドレンパン１０に滴り落ちたドレン水のそれぞれは、最終的に下部排水口１７に導かれる。そして、下部排水口１７に導かれたドレン水は、重力により排水用配管１８の他端に向かって流れて筺体３の外部に導かれ、さらに、電算機室外に排出される。
【００２４】
次いで、保守装置４５の構成について説明する。
図１及び図２において、保守装置４５は筺体３の外部に付設され、筺体３の一側の側壁５ａの外部に支持され、スライム化防止薬４７が貯蔵された防止薬貯蔵手段としての薬液タンク４６、一端が薬液タンク４６に接続され、他端が筺体３内に挿入された給薬配管４８、給薬配管４８内の経路の一部を開閉自在に設けられた開閉手段としての電磁弁５０、及び電磁弁５０の開閉を制御する投薬制御手段５２を有している。
【００２５】
スライム化防止薬４７には、第四級アンモニウム系を含む化学物質を予め水に溶かした薬液を用いている。例えば、アクタブスＥＥ（日本農薬株式会社の登録商標）を用いることができる。
薬液タンク４６は、図１に示されるように、筺体３の一側の側壁５ａの外側に突設された支持板５７に固定された状態で、筺体３の一側の側壁５ａに支持されている。
【００２６】
また、給薬配管４８を引き込むための挿入穴５ｃが側壁５ａにあけられている。そして、給薬配管４８の他端側は挿通穴５ｃから筺体３内に挿入され、他端の開口は、第２ドレンパン１０の幅方向の一側の上部排水口１９ａ近傍の部位と相対している。このとき、給薬配管４８は、その高さが、一端から他端に向かって低くなるように延在している。これにより、電磁弁５０が開いているときには、スライム化防止薬４７が第２ドレンパン１０上に落下するように投入される。
【００２７】
投入されたスライム化防止薬４７の一部は、幅方向の一側の上部排水口１９ａに流れ込む。そして、上部排水口１９ａに流れ込んだスライム化防止薬４７は、第１連絡配管２０ａ内を通って第１ドレンパン９の流水溝１４ａの幅方向の一端の部位に排出され、さらに、下部排水口１７に導かれる。また、残りのスライム化防止薬４７は、ドレン水での説明と同様、幅方向の他側の上部排水口１９ｂから第２連絡配管２０ｂを通って下部排水口１７に導かれる。
【００２８】
投薬制御手段５２は、図２に示されるように、演算手段としてのＣＰＵ５３、各種データを一時的に記憶可能であり、ＣＰＵ５３の演算処理時にワーキングスペースに使用されるＲＡＭ５４、空気調和室内機１の動作を制御するためのプログラムが書き込まれたＲＯＭ５５、及びタイマ５６を有している。
【００２９】
そして、ＣＰＵ５３は、タイマ５６のタイムカウントを任意に開始及びリセットでき、タイマ５６のタイムカウントを認識可能になっている。また、投薬制御手段５２は、電磁弁５０に電線にて接続され、ＣＰＵ５３は任意に電磁弁５０を開閉することができるようになっている。さらに、投薬制御手段５２は、制御盤３９に通信可能に接続されている。そして、制御盤３９のＣＰＵは、冷房運転を行っている間は、調和機駆動信号を投薬制御手段５２に送信している。これにより、投薬制御手段５２のＣＰＵ５３は、空気調和室内機１が稼働しているか否かを判断することが可能になっている。
【００３０】
次いで、保守装置４５の動作について図３のフロー図を参照しつつ説明する。
なお、図３中、ステップ１０１〜ステップ１０６を説明の便宜上Ｓ１０１〜Ｓ１０６と記す。
初期状態は、空気調和室内機１に電源が供給されているが、空気調和室内機１の冷房運転は開始されておらず、タイマ５６のタイムカウントはリセットされているものとする。
ステップ１０１で、投薬制御手段５２のＣＰＵ５３は、調和機駆動信号を受信したか否か、即ち空気調和室内機１の冷房運転が開始されたか否かを判断する。
【００３１】
ステップ１０１で、ＣＰＵ５３は、空気調和室内機１の冷房運転が開始されていないと判断すると、空気調和室内機１が冷房運転を開始するまでステップ１０１を繰り返す。
ステップ１０１で、ＣＰＵ５３は、空気調和室内機１の冷房運転が開始されたと判断すると、タイマ５６のタイムカウントをスタートさせ（ステップ１０２）、ステップ１０３に進む。
【００３２】
ステップ１０３で、ＣＰＵ５３は、タイマ５６のタイムカウントが以下に説明する投入間隔時間になったか否かを判断する。
ここで、それぞれ清浄状態にある第１ドレンパン９、第２ドレンパン１０、第２連絡配管２０ｂ、及び排水用配管１８を放置した場合、スライム化したドレン水が流水溝１４ａ，１４ｂの表面や第２連絡配管２０ｂ及び排水用配管１８の内面にこびりついてドレン水の流路をふさぎ、ついにはドレン水の流れをせき止めてしまう場合もある。このとき、ドレン水がスライム化して流水溝１４ａ，１４ｂ、第２連絡配管２０ｂ、及び排水用配管１８にこびりつき始めるまでの空気調和室内機１の冷房運転の積算時間は経験的に既知である。
【００３３】
そこで、投入間隔時間は、ドレン水がスライム化して流水溝１４ａ，１４ｂ、第２連絡配管２０ｂ、及び排水用配管１８にこびりつき始めるのまでの空気調和室内機１の冷房運転の積算時間より短い時間で適宜設定すればよい。ここでは、投入間隔時間は、２週間に設定している。
【００３４】
ステップ１０３で、ＣＰＵ５３は、タイマ５６のタイムカウントが投入間隔時間になっていないと判断すると、ステップ１０３を繰り返す。
ステップ１０３で、ＣＰＵ５３は、タイマ５６のタイムカウントが投入間隔時間になったと判断すると、電磁弁５０を開くと同時に、タイマ５６のタイムカウントをリセットしてタイムカウントを再スタートさせる（ステップ１０４）。
【００３５】
次いで、ステップ１０５で、ＣＰＵ５３はタイマ５６のタイムカウントが以下に説明する規定投入時間となったか否かを判断する。
ここで、規定投入時間は、ＣＰＵ５３が、投入間隔時間が経過するごとに電磁弁５０を開く際の開弁時間を決定するものである。電磁弁５０を開いたときに第２ドレンパン１０に投入される単位時間当たりのスライム化防止薬４７の流量は、薬液タンク４６内のスライム化防止薬４７の残量により若干異なる。そこで、規定投入時間は、第２ドレンパン１０に投入されるスライム化防止薬４７の単位時間当たりの流量が小さくなるときでも、電磁弁５０が開いてから規定投入時間だけ経過すれば、スライム化防止薬４７がスライム化を防止するのに有効な量だけ第２ドレンパン１０に投入されるように適宜設定している。
【００３６】
そして、第２ドレンパン１０に投入されたスライム化防止薬４７は第１連絡配管２０ａ及び流水溝１４ａ、または流水溝１４ｂ及び第２連絡配管２０ｂを経由して下部排水口１７に導かれ、さらに排水用配管１８内を通って電算機室外部に排水される。
【００３７】
ステップ１０５で、ＣＰＵ５３は、タイマ５６のタイムカウントが規定投入時間経っていないと判断するとステップ１０５を繰り返す。
ステップ１０５で、ＣＰＵ５３は、タイマ５６のタイムカウントが規定投入時間経過したと判断すると、電磁弁５０を閉じるとともにタイマ５６のタイムカウントをリセットし（ステップ１０６）、ステップ１０１に戻る。
【００３８】
この実施の形態によれば、保守装置４５が、筺体３外部に付設された薬液タンク４６と、スライム化防止薬４７が貯蔵された薬液タンク４６と、一端が薬液タンク４６に接続され、他端が筺体３内に挿入されて幅方向の他側の上部排水口１９ａ近傍の第２ドレンパンの部位と相対するように配設された給薬配管４８と、給薬配管４８内を開閉可能に配設された電磁弁５０と、タイマ５６のタイムカウントが投入間隔時間だけ経過するごとに、スライム化防止薬４７が第１及び第２ドレンパン９，１０に規定投入時間だけ投入されるように電磁弁５０の開閉制御を行う投薬制御手段５２と、により構成されている。
【００３９】
保守装置４５は、筺体３の外部（空気調和室内機１の外部）に付設され、筺体３の外部からスライム化防止薬４７を第２ドレンパン１０に投入する構成とされているので、保守装置４５の付設によって、空気調和室内機１の内部の気流が乱されることがない。従って、保守装置４５は、配置場所を特別に検討することを必要とすることなしに空気調和室内機１に付設することができる。さらに、保守装置４５は、従来のように電気伝導度を検出するような特殊部品を用いることなく簡易に構成されている。従って、保守装置４５は、自身を空気調和室内気１に付設するためのコストを、部品コスト、及び装置の配置場所の検討コストの両面から削減しつつドレン水のスライム化を防止することができる。
【００４０】
また、保守装置４５の付設時、給薬配管４８を挿入するための挿入穴５ｃを筺体３にあけるだけでよいので、保守装置４５の空気調和室内機１への付設を短時間に完了できる。
また、保守装置４５を空気調和室内機１の外部に配設したので、スライム化防止薬４７の補充は、空気調和室内機１の冷房運転を停止させることなく行うことができる。
さらにまた、開閉手段に電磁弁５０を用いたので、スライム化防止薬４７の供給の開始と停止を機械的に複雑な構成を構築することなしに切り替えることができる。
【００４１】
なお、この実施の形態では、保守装置４５は、既設の空気調和室内機１に付設されるものとして説明したが、新規の空気調和室内機１に付設されるものでもよい。この場合でも、保守装置４５の付設するためのコストを部品コスト、及び保守装置４５の配置場所の検討コストの両面から削減できる。
また、この実施の形態では、空気調和室内機１はパッケージ型のものとして説明したが、空気調和室内機１はパッケージ型のものに限定されず、例えば、天井に設置される空気調和室内機などにも適用できる。この場合、天井裏に保守装置を配設すればよい。
【００４２】
また、スライム化防止薬４７の第１ドレンパン９への投入は、第１連絡配管２０ａを介して行うものとして説明したが、スライム化防止薬４７は、給薬配管４８を分岐させて第１ドレンパン、及び第２ドレンパンのそれぞれに別個に供給してもよい。
【図面の簡単な説明】
【００４３】
【図１】この発明の一実施の形態に係る保守装置が付設された既設の空気調和室内機の斜視図である。
【図２】この発明の一実施の形態に係る保守装置の構成、及び既設の空気調和室内機の主要構成を説明するブロック図である。
【図３】この発明の一実施の形態に係る空気調和室内機の保守装置の動作フロー図である。
【符号の説明】
【００４４】
１  空気調和室内機、３  筺体、９  第１ドレンパン（ドレンパン）、１０  第２ドレンパン（ドレンパン）、１８  排水用配管、４５  保守装置、４６  薬液タンク（防止薬貯蔵手段）、４８  給薬配管、５０  電磁弁、５２  投薬制御手段。
【図１】
2009250453.tif 000003
【図２】
2009250453.tif 000004
【図３】
2009250453.tif 000005